(57)【要約】  鉢水受け皿を開示する。一実施形態に係る鉢水受け皿は、水を貯蔵するために、上部が開放された筒形で設けられる本体と、大気中の水分を凝縮して水を生成するために、前記本体の底部の中央部に設けられる自給灌水モジュールと、前記本体の上部に載置される鉢の底部の周りを支持するために、前記自己灌水モジュールの周りの本体に設けられる支持部と、前記本体の底部の水を吸収して前記鉢の内部に伝達する芯が、前記鉢が前記本体の上部に載置される過程において、前記鉢の底部の中央の排水孔の内に挿入できるように前記芯を支持する芯支持体とを含む。
2021503298.tif 000002
【特許請求の範囲】
【請求項１】
水を貯蔵するために、上部が開放された筒形で設けられる本体と、
大気中の水分を凝縮して水を生成するために、前記本体の底部の中央側に設けられる自給灌水モジュールと、
前記本体の上部に載置される鉢の底部の周りを支持するために、前記自己灌水モジュールの周りの本体に設けられる支持部と、
前記本体の底部の水を吸収して前記鉢の内に伝達する芯が、前記鉢が前記本体の上部に載置される過程において、前記鉢の底部の中央の排水孔の内に挿入できるように、前記芯を支持する芯支持体とを含む鉢水受け皿。
【請求項２】
前記支持部は、
半径方向の内側から半径方向の外側へ延長するように、前記自給灌水モジュールの周りの前記本体の底部から上部に突出し、周方向に沿って相互に離隔されるように配置される複数の支持リブを含む、請求項１に記載の鉢水受け皿。
【請求項３】
前記自給灌水モジュールを前記本体の底部に固定させるために、前記自給灌水モジュールの少なくとも一部を覆い隠す固定ブラケットとをさらに含み、
前記芯支持体は、前記固定ブラケットと一体に固定される、請求項１に記載の鉢水受け皿。
【請求項４】
前記固定ブラケットは、
前記自給灌水モジュールの上部の少なくとも一部を覆い隠す上部カバー部を含み、
前記芯支持体は、前記上部カバー部に固定され、
前記芯支持体の周りの前記上部カバー部は、前記排水孔の周囲の前記鉢の底部を支持するように設けられる、請求項３に記載の鉢水受け皿。
【請求項５】
前記自給灌水モジュールは、
熱電素子と、
前記熱電素子の冷却部に設けられる冷却部材と、
前記熱電素子の放熱部に設けられる放熱部材と、
前記放熱部材を冷却させる冷却ファンとを含む、請求項１に記載の鉢。
【請求項６】
前記本体の側面には、通気孔が設けられる、請求項１に記載の鉢水受け皿。
【発明の詳細な説明】
【技術分野】
【０００１】
植木鉢の灌水のための鉢水受け皿に関するものである。
【背景技術】
【０００２】
植物の生長において、最も大きな影響を与える要因の一つは、水分である。したがって、植物を植栽するには、灌水設備をあらかじめ確保することによって、植物の生長に問題が発生しないようにすることが何よりも重要である。
【０００３】
これにより、最近では、鉢水受け皿の中には、上部に支持される鉢の内部に水を供給できるように設けることで、鉢の灌水作業にかかる時間と労働力を低減できるものがある。
【０００４】
韓国の登録実用第２０-０２５４３６９号には、このような鉢水受け皿の一例が示されている。
【０００５】
前記公報に示す鉢水受け皿は、土壌が充填された鉢内の植栽空間に水を供給して、その後鉢底の排水孔を介して排水される水をポンプとノズルを用いて、再び鉢内に供給するように設けられる。
【０００６】
しかしながら、このような従来の鉢水受け皿は、灌水のための水を外部から供給するように設けられているので、降水量の少ない地域や灌水設備の具備が難しい厳しい環境では、適用に困難な問題点がある。
【０００７】
また、内部に貯蔵された水をポンプとノズルを用いて鉢に伝達する鉢水受け皿は、上部に鉢を載置した状態からも、ノズルなどを鉢に接続する作業が必要であるため、鉢の灌水に関連して設置が容易ではない問題がある。
【発明の概要】
【発明が解決しようとする課題】
【０００８】
鉢の灌水を自給的に解決することができ、鉢に供給される水の供給構造を簡素化させることができる鉢水受け皿を提供する。
【課題を解決するための手段】
【０００９】
一実施形態に係る鉢水受け皿は、水を貯蔵するために、上部が開放された筒形で設けられる本体と、大気中の水分を凝縮して水を生成するために、前記本体の底部の中央側に設けられる自給灌水モジュールと、前記本体の上部に載置される鉢の底部の周りを支持するために、前記自己灌水モジュールの周りの本体に設けられる支持部と、前記本体の底部の水を吸収して前記鉢の内に伝達する芯が、前記鉢が前記本体の上部に載置される過程において、前記鉢の底部の中央の排水孔の内に挿入できるように、前記芯を支持する芯支持体とを含む。
【００１０】
前記支持部は、半径方向の内側から半径方向の外側へ延長するように、前記自給灌水モジュールの周りの前記本体の底部から上部に突出し、周方向に沿って相互に離隔されるように配置される複数の支持リブを含むことができる。
【００１１】
前記自給灌水モジュールを前記本体の底部に固定させるために、前記自給灌水モジュールの少なくとも一部を覆い隠す固定ブラケットとをさらに含み、前記芯支持体は、前記固定ブラケットと一体に固定されることができる。
【００１２】
前記固定ブラケットは、前記自給灌水モジュールの上部の少なくとも一部を覆い隠す上部カバー部を含み、前記芯支持体は、前記上部カバー部に固定され、前記芯支持体の周りの前記上部カバー部は、前記排水孔の周囲の前記鉢の底部を支持するように設けられることができる。
【００１３】
前記自給灌水モジュールは、熱電素子と、前記熱電素子の冷却部に設けられる冷却部材と、前記熱電素子の放熱部に設けられる放熱部材と、前記放熱部材を冷却させる冷却ファンとを含むことができる。
【００１４】
前記本体の側面には、通気孔が設けられることができる。
【発明の効果】
【００１５】
一実施形態に係る鉢水受け皿は、大気中の水分を凝縮させて水を生成する自給灌水モジュールが本体と一体に設けられ、自給灌水モジュールを介して生成された水を鉢の内部に供給するための芯が、鉢が本体の上部に載置される過程において、鉢の底部の中央の排水孔の内部に挿入できるように設けられるため、鉢の灌水を自給的に解決することができ、鉢に供給される水の供給構造を簡素化させることができる。
【図面の簡単な説明】
【００１６】
【図１】一実施形態における鉢水受け皿の分解斜視図である。
【図２】一実施形態における鉢水受け皿の斜視図である。
【図３】一実施形態における鉢水受け皿の断面図である。
【図４】一実施形態における鉢水受け皿の活用状況を示すのであり、鉢が上部に載置された状態を示したものである。
【図５】図４の要部を断面処理して示すものである。
【発明を実施するための形態】
【００１７】
以下では、本発明の実施の形態を添付の図面を参照して詳細に説明する。以下の実施の形態は、本発明の属する技術分野における通常の知識を有する者に本発明の思想を十分に伝達するために提示するものである。本発明は、ここで提示した実施形態のみに限定されず、他の形態に具体化されることもできる。図面は、本発明を明確にするために説明と関係ない部分の図示を省略し、理解を助けるために構成要素のサイズを多少誇張して表現することができる。
【００１８】
図１〜図５に示すように、一実施形態に係る鉢水受け皿１は、鉢２に供給された後、鉢２の底部の排水孔２ａに排水される水を溜まるためのものであり、水を貯蔵するために上部が開放された筒形で設けられる本体１０と、本体１０の底部の中央側に設置される自給灌水モジュール２０とを備える。
【００１９】
本体１０は、上部が開放された中空の円筒形で設けられ、本体１０の材質としては、プラスチック、陶器などの様々な素材が用いられる。
【００２０】
自給灌水モジュール２０は、大気中の水分を凝縮して水を生成するためのものであり、本体１０の底部の中央側に固定されて、本体１０と一体を形成することができる。
【００２１】
自給灌水モジュール２０は、熱電素子２１と、熱電素子２１の冷却部に設けられる冷却部材２２と、熱電素子２１の放熱部に設けられる放熱部材２３と、放熱部材２３を冷却させる冷却ファン２４とを含むことができる。
【００２２】
熱電素子２１は、２種の異なる金属を結合させるか、Ｎ型半導体とＰ型半導体とを相互接合させた素子であって、このような熱電素子２１は、直流電流の印加時、両側の金属表面に吸熱反応と発熱反応が起こる特性を有する。吸熱反応が発生する熱電素子２１の一側面は冷却部を形成し、発熱反応が発生する熱電素子２１の他側面は放熱部を形成することができる。
【００２３】
冷却部材２２と放熱部材２３とは、アルミニウムのように熱伝導率の高い金属材質で設けられて、熱電素子２１の冷却部と放熱部とにそれぞれ取り付けられる。冷却ファン２４は、駆動際の放熱部材２３を冷却させるように放熱部材２３に取り付けられる。したがって、自給灌水モジュール２０は、熱電素子２１と、冷却部材２２及び放熱部材２３と、冷却ファン２４とが相互接続されて一体を形成することができる。
【００２４】
熱電素子２１と冷却ファン２４には、電源を印加するための電源ケーブル（図示せず）やバッテリー（図示せず）が接続できる。
【００２５】
冷却部材２２は、熱電素子２１に接触する冷却板部２２ａと、冷却板部２２ａから突出する複数の冷却ピン部２２ｂを含むことができる。そして、放熱部材２３は、熱電素子２１に取り付けられる放熱板部２３ａと、放熱板部２３ａから突出する複数の放熱フィン部２３ｂとを含むことができる。
【００２６】
したがって、熱電素子２１と冷却ファン２４が駆動されると、吸熱反応が行われる吸熱部により冷却部材２２が冷却され、このとき放熱部材２３は、冷却ファン２４により冷却されながら熱を放出し、これにより、冷却部材２２の表面では、大気中の水分が凝縮されて水が形成できる。
【００２７】
冷却部材２２の表面に凝縮された水は、相互に凝集された状態で、自重によって冷却部材２２の表面に沿って底部に案内されて落下することにより、本体１０の底部に溜まられるようになる。
【００２８】
冷却ピン部２２ｂは、冷却板部２２ａの一面に突出されるが、冷却部材２２の起立方向に沿って長く形成され、複数個が冷却板部２２ａの幅方向に沿って相互に離隔されるように配置できる。
【００２９】
したがって、冷却ピン部２２ｂの表面に凝集された水は、その自重によって冷却ピン部２２ｂの表面に沿って底部にそのまま案内された状態で、本体１０の底部に落下されて、本体１０の底部に貯蔵されることになる。
【００３０】
このような鉢水受け皿１は、外部から水が供給しにくい降水量が少ない地域や灌水設備の具備が難しい厳しい環境でも、鉢２に供給するための水を自給的に確保できるようになる。
【００３１】
本体１の上部に載置される鉢２の底部の周りを支持するため、自給灌水モジュール２０の周りの本体１０には、支持部１１が設けられる。
【００３２】
支持部１１は、本体１０の底部から上部に突出する複数の支持リブ１２によって構成することができる。
【００３３】
各支持リブ１２は、半径方向の内側から半径方向の外側へ延長するように自給灌水モジュール２０の周りに配置され、複数の支持リブ１２は、周方向に沿って相互に離隔されるように配置できる。
【００３４】
したがって、本体１０の上部に載置される鉢２は、底部の周りが複数の支持リブ１２に支持された状態で、本体１０に安定的に支持され、自給灌水モジュール１０は、鉢２の荷重から保護されることができる。
【００３５】
また、複数の支持リブ１２が半径方向の内側から外側へ延長した構造では、底部の径のサイズの様々な鉢２が、本体１０の支持部１１に安定した姿勢で支持するのに有利となる。
【００３６】
本体１０の上部の開口が鉢２によってほとんど隠された状態でも、自給灌水モジュール２０の側へ大気が円滑に供給できるように、本体１０の側面には、通気孔１３が設けられる。
【００３７】
通気孔１３は、本体１０の側面の周りに沿って相互に離隔されるように設けられた複数個で構成することができ、自給灌水モジュール２０によって生成された水が通気孔１３を介して直接外部に排出されず、本体１０の底部に貯蔵できるように、本体１０の底部から上部に所定距離をあけた位置に設けられることができる。
【００３８】
また、自給灌水モジュール２０によって生成されて本体１０の内側の底部に案内された水は、芯３０を介して吸収された状態で、鉢２の内に伝達され、鉢水受け皿１は、鉢２が本体１０の上部に載置される過程中、鉢２の底部の中央の排水孔２ａの内に挿入できるように、芯３０を支持する芯支持体４０を備える。
【００３９】
このような芯支持体４０は、鉢２が本体１０の上部に載置される過程において、芯３０が鉢２の底部の排水孔２ａの内に挿入できるようにすることで、本体１０の底部から鉢２の内へ供給される水の供給構造を最大限に簡素化させることができる。
【００４０】
自給灌水モジュール２０は、固定ブラケット５０を介して本体１０の底部に固定でき、固定ブラケット５０は、自給灌水モジュール２０の少なくとも一部を覆い隠すように設けられることができる。芯支持体４０は、固定ブラケット５０と一体に設けることができる。
【００４１】
固定ブラケット５０は、自給灌水モジュール２０の上部の少なくとも一部を覆い隠す上部カバー部５１と、自給灌水モジュール２０の両側に支持されるように、上部カバー部５１と本体１０の底部との間を支持する一対の底支持部５２とを含むことができる。
【００４２】
これらの固定ブラケット５０は、底支持部５１の先端が固定ボルトのような締結手段や接着剤などを介して本体１０の底部に固定されることによって、自給灌水モジュール２０の流動が防止された状態で、本体１０に固定することができる。
【００４３】
上部カバー部５１は、支持リブ１２の上端と同じ高さを有するように設けられ、芯支持体４０は、上部カバー部５１の中央部に起立するように固定されることができる。これにより、芯支持体４０が鉢２の排水孔２ａの内に挿入された状態において、芯支持体４０の周辺の上部カバー部５１が、排水孔２ａの周辺の鉢２の底部を支持することによって、鉢２を支持する支持リブ１２の支持力を補完することができる。
【００４４】
芯支持体４０は、長方向に一側が切欠部４１を介して切り欠くともに、上部が開放された棒状であり、直上に立ち上がった姿勢で上部カバー部５１に固定できる。
【００４５】
したがって、芯３０は、一端部側が芯支持体４０に挟まれた状態で、芯支持体４０とともに排水孔２ａを介して鉢２の内に挿入され、他端側が本体１０底部に延長した状態で、本体１０の底部の水を吸収して鉢２内の土壌に供給することができる。
【００４６】
芯支持体４０は、本実施例とは異なり、周りに芯３０がかかるようにフックを有する棒状で設けられるなど、芯３０を支持した状態で、排水孔２ａを介して鉢２の土壌の内に挿入できる範囲内で種々の変形が可能である。
【００４７】
図２及び図３に示すように、鉢水受け皿１に鉢２を灌水可能な状態に載置するためには、まず芯３０の一端部を芯支持体４０に支持されるようにした状態で、芯３０の他端部を本体１０の底部に位置させる。
【００４８】
図４及び図５に示すように、この状態では、土壌３が充填され植物４が植栽された鉢２の底部の周りが支持リブ１２に支持されるように、鉢２を本体１０の上部に載置させるが、このときは芯支持体４０が鉢２の排水孔２ａを介して鉢２の内の土壌３の中に挿入されることによって、芯３０の一端部が鉢２の土壌３の内部に位置する。
【００４９】
この状態で自給灌水モジュール２０を駆動させると、熱電素子２１と冷却ファン２４とが駆動されつつ、吸熱反応が行われる吸熱部によって冷却部材２２が冷却される。
【００５０】
このとき、放熱部材２３は、冷却ファン２４によって冷却されながら熱を放出し、これにより、冷却部材２２の表面では、大気中の水分が凝縮されながら水が形成される。
【００５１】
冷却部材２２の表面に生成された水は、相互に凝集された状態で、冷却ピン部２２ｂの表面に沿って底部に案内された状態で、自重によって本体１０の内側の底部に貯蔵され、本体１０の底部に貯蔵された水は、芯３０の吸収作用によって鉢２の土壌３の中に伝達されて、植物４の根から吸収できるようになる。
【図１】
2021503298.tif 000003
【図２】
2021503298.tif 000004
【図３】
2021503298.tif 000005
【図４】
2021503298.tif 000006
【図５】
2021503298.tif 000007
【国際調査報告】
2021503298.tif 000008
2021503298.tif 000009
2021503298.tif 000010
2021503298.tif 000011